【手続補正書】
【提出日】平成15年11月4日(2003.11.4)
【手続補正１】
【補正対象書類名】明細書
【補正対象項目名】発明の名称
【補正方法】変更
【補正の内容】
【発明の名称】撮像装置、編集装置、編集システム、記録信号処理装置及び記録信号処理方法
【手続補正２】
【補正対象書類名】明細書
【補正対象項目名】特許請求の範囲
【補正方法】変更
【補正の内容】
【特許請求の範囲】
【請求項１】
所望の被写体を撮像してビデオ信号を生成する撮像手段と、
前記ビデオ信号に対応するオーディオ信号を入力するオーディオ信号入力手段と、
ディスク状記録媒体を着脱可能に保持し、前記ディスク状記録媒体に、前記ビデオ信号及びオーディオ信号を記録する記録手段とを有し、
前記記録手段は、
前記ディスク状記録媒体の情報記録面を同心円状に分割して、前記ビデオ信号及びオーディオ信号を各領域に割り当てて記録する
ことを特徴とする撮像装置。
【請求項２】
前記ディスク状記録媒体は、
前記ディスク状記録媒体を装着する所定の編集装置において、該ディスク状記録媒体に記録されたビデオ信号及びオーディオ信号を編集する編集リストのデータが記録される
ことを特徴とする請求項１に記載の撮像装置。
【請求項３】
前記記録手段は、
前記各領域において、外周側より又は内周側より順次ビデオ信号及びオーディオ信号を記録する
ことを特徴とする請求項１に記載の撮像装置。
【請求項４】
前記ディスク状記録媒体は、
所定領域にシステムデータ領域が形成され、
前記記録手段は、
前記システムデータ領域に前記ビデオ信号及びオーディオ信号の管理用データを記録する
ことを特徴とする請求項１に記載の撮像装置。
【請求項５】
前記ディスク状記録媒体は、
前記システムデータ領域が前記情報記録面の最内周に形成された
ことを特徴とする請求項４に記載の撮像装置。
【請求項６】
前記記録手段は、
前記ビデオ信号の記録領域を複数の領域に分割し、各領域に対応するチャンネルのビデオ信号を記録する
ことを特徴とする請求項１に記載の撮像装置。
【請求項７】
前記各チャンネルのビデオ信号は、解像度の異なるビデオ信号でなる
ことを特徴とする請求項６に記載の撮像装置。
【請求項８】
前記記録手段は、
前記同心円状に分割して形成される複数の領域に対して、前記ビデオ信号及びオーディオ信号を各領域に順次循環的に割り当てて記録する
ことを特徴とする請求項１に記載の撮像装置。
【請求項９】
前記記録手段は、
外周側の領域より又は内周側の領域より順次ビデオ信号及びオーディオ信号を記録する
ことを特徴とする請求項８に記載の撮像装置。
【請求項１０】
前記記録手段は、
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及びオーディオ信号を記録する
ことを特徴とする請求項８に記載の撮像装置。
【請求項１１】
着脱可能に保持されたディスク状記録媒体にビデオ信号及びオーディオ信号を記録するビデオ信号及びオーディオ信号の記録手段と、
前記ディスク状記録媒体よりビデオ信号及びオーディオ信号を再生する再生手段と、
前記再生手段により再生された前記ビデオ信号及びオーディオ信号に基づくオペレータの操作を受け付けて、前記ディスク状記録媒体に記録された前記ビデオ信号及びオーディオ信号を編集する編集リストを作成する編集リスト作成手段と、
前記編集リストを前記ディスク状記録媒体に記録する編集リストの記録手段とを有し、
前記ビデオ信号及びオーディオ信号の記録手段は、
前記ディスク状記録媒体の情報記録面を同心円状に分割して、前記ビデオ信号及びオーディオ信号を各領域に割り当てて記録する
ことを特徴とする編集装置。
【請求項１２】
前記ビデオ信号及びオーディオ信号の記録手段は、
前記各領域において、外周側より又は内周側より順次ビデオ信号及びオーディオ信号を記録する
ことを特徴とする請求項１１に記載の編集装置。
【請求項１３】
前記ディスク状記録媒体は、
所定領域にシステムデータ領域が形成され、
前記記録手段は、
前記システムデータ領域に前記ビデオ信号及びオーディオ信号の管理用データを記録する
ことを特徴とする請求項１１に記載の編集装置。
【請求項１４】
前記ディスク状記録媒体は、
前記システムデータ領域が前記情報記録面の最内周に形成された
ことを特徴とする請求項１３に記載の編集装置。
【請求項１５】
前記記録手段は、
前記ビデオ信号の記録領域を複数の領域に分割し、各領域に対応するチャンネルのビデオ信号を記録する
ことを特徴とする請求項１１に記載の編集装置。
【請求項１６】
前記各チャンネルのビデオ信号は、解像度の異なるビデオ信号でなる
ことを特徴とする請求項１５に記載の編集装置。
【請求項１７】
前記ビデオ信号及びオーディオ信号の記録手段は、
前記同心円状に分割して形成される複数の領域に対して、前記ビデオ信号及びオーディオ信号を各領域に順次循環的に割り当てて記録する
ことを特徴とする請求項１１に記載の編集装置。
【請求項１８】
前記ビデオ信号及びオーディオ信号の記録手段は、
外周側の領域より又は内周側の領域より順次ビデオ信号及びオーディオ信号を記録する
ことを特徴とする請求項１７に記載の編集装置。
【請求項１９】
前記ビデオ信号及びオーディオ信号の記録手段は、
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及びオーディオ信号を記録する
ことを特徴とする請求項１７に記載の編集装置。
【請求項２０】
ディスク状記録媒体を着脱可能に保持し、所望の被写体を撮像して得られるビデオ信号及びオーディオ信号を前記ディスク状記録媒体に記録する撮像装置と、
前記ディスク状記録媒体を着脱可能に保持し、前記撮像装置により前記ディスク状記録媒体に記録された前記ビデオ信号及びオーディオ信号を再生し、該再生された前記ビデオ信号及びオーディオ信号に基づくオペレータの操作により、前記ビデオ信号及びオーディオ信号を編集する編集リストを作成し、前記編集リストを前記ディスク状記録媒体に記録する編集装置とを備え、
前記撮像装置は、
前記ディスク状記録媒体の情報記録面を同心円状に分割して、前記ビデオ信号及びオーディオ信号を各領域に割り当てて記録する
ことを特徴とする編集システム。
【請求項２１】
前記撮像手段は、
前記各領域において、外周側より又は内周側より順次ビデオ信号及びオーディオ信号を記録する
ことを特徴とする請求項２０に記載の編集システム。
【請求項２２】
前記ディスク状記録媒体は、
所定領域にシステムデータ領域が形成され、
前記撮像装置は、
前記システムデータ領域に前記ビデオ信号及びオーディオ信号の管理用データを記録し、
前記編集装置は、
前記システムデータ領域に前記編集リストを記録する
ことを特徴とする請求項２０に記載の編集システム。
【請求項２３】
前記ディスク状記録媒体は、
前記システムデータ領域が前記情報記録面の最内周に形成された
ことを特徴とする請求項２２に記載の編集システム。
【請求項２４】
前記撮像装置は、
前記ビデオ信号の記録領域を複数の領域に分割し、各領域に対応するチャンネルのビデオ信号を記録する
ことを特徴とする請求項２０に記載の編集システム。
【請求項２５】
前記各チャンネルのビデオ信号は、解像度の異なるビデオ信号でなる
ことを特徴とする請求項２４に記載の編集システム。
【請求項２６】
前記撮像装置は、
前記複数の領域に、前記ビデオ信号及びオーディオ信号を順次循環的に割り当てて記録する
ことを特徴とする請求項２０に記載の編集システム。
【請求項２７】
前記撮像装置は、
外周側の領域より又は内周側の領域より順次ビデオ信号及びオーディオ信号を記録する
ことを特徴とする請求項２６に記載の編集システム。
【請求項２８】
前記撮像装置は、
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及びオーディオ信号を記録する
ことを特徴とする請求項２６に記載の編集システム。
【請求項２９】
ディスク状記録媒体を着脱可能に保持し、
前記ディスク状記録媒体に、ビデオ信号及びオーディオ信号を記録する記録手段を有し、
前記記録手段は、
前記ディスク状記録媒体の情報記録面を同心円状に分割して、前記ビデオ信号及びオーディオ信号を各領域に割り当てて記録する
ことを特徴とする記録信号処理装置。
【請求項３０】
前記ディスク状記録媒体は、
前記ディスク状記録媒体を装着する所定の編集装置において、該ディスク状記録媒体に記録されたビデオ信号及びオーディオ信号を編集する編集リストのデータが記録される
ことを特徴とする請求項２９に記載の記録信号処理装置。
【請求項３１】
前記記録手段は、
前記各領域において、外周側より又は内周側より順次ビデオ信号及びオーディオ信号を記録する
ことを特徴とする請求項２９に記載の記録信号処理装置。
【請求項３２】
前記ディスク状記録媒体は、
所定領域にシステムデータ領域が形成され、
前記記録手段は、
前記システムデータ領域に前記ビデオ信号及びオーディオ信号の管理用データを記録する
ことを特徴とする請求項２９に記載の記録信号処理装置。
【請求項３３】
前記ディスク状記録媒体は、
前記システムデータ領域が前記情報記録面の最内周に形成された
ことを特徴とする請求項３２に記載の記録信号処理装置。
【請求項３４】
前記記録手段は、
前記ビデオ信号の記録領域を複数の領域に分割し、各領域に対応するチャンネルのビデオ信号を記録する
ことを特徴とする請求項２９に記載の記録信号処理装置。
【請求項３５】
前記各チャンネルのビデオ信号は、
解像度の異なるビデオ信号でなる
ことを特徴とする請求項３４に記載の記録信号処理装置。
【請求項３６】
前記記録手段は、
前記ビデオ信号及び前記オーディオ信号を各領域に順次循環的に割り当てて記録する
ことを特徴とする請求項２９に記載の記録信号処理装置。
【請求項３７】
前記記録手段は、
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及びオーディオ信号を記録する
ことを特徴とする請求項３６に記載の記録信号処理装置。
【請求項３８】
ディスク状記録媒体を着脱可能に保持し、前記ディスク状記録媒体に、ビデオ信号及びオーディオ信号を記録する記録信号処理装置における記録信号処理方法において、
前記ディスク状記録媒体の情報記録面を同心円状に分割して、前記ビデオ信号及びオーディオ信号を各領域に割り当てて記録する
ことを特徴とする記録信号処理方法。
【請求項３９】
前記ディスク状記録媒体は、
前記ディスク状記録媒体を装着する所定の編集装置において、該ディスク状記録媒体に記録されたビデオ信号及びオーディオ信号を編集する編集リストのデータが記録される
ことを特徴とする請求項３８に記載の記録信号処理方法。
【請求項４０】
前記各領域において、外周側より又は内周側より順次ビデオ信号及びオーディオ信号を記録する
ことを特徴とする請求項３８に記載の記録信号処理方法。
【請求項４１】
前記ディスク状記録媒体は、
所定領域にシステムデータ領域が形成され、
前記記録信号処理方法は、
前記システムデータ領域に前記ビデオ信号及びオーディオ信号の管理用データを記録する
ことを特徴とする請求項３８に記載の記録信号処理方法。
【請求項４２】
前記ディスク状記録媒体は、
前記システムデータ領域が前記情報記録面の最内周に形成された
ことを特徴とする請求項４１に記載の記録信号処理方法。
【請求項４３】
前記ビデオ信号の記録領域を複数の領域に分割し、各領域に対応するチャンネルのビデオ信号を記録する
ことを特徴とする請求項３８に記載の記録信号処理方法。
【請求項４４】
前記各チャンネルのビデオ信号は、
解像度の異なるビデオ信号でなる
ことを特徴とする請求項４３に記載の記録信号処理方法。
【請求項４５】
前記ビデオ信号及び前記オーディオ信号を各領域に順次循環的に割り当てて記録する
ことを特徴とする請求項３８に記載の記録信号処理方法。
【請求項４６】
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及びオーディオ信号を記録する
ことを特徴とする請求項４５に記載の記録信号処理方法。
【手続補正３】
【補正対象書類名】明細書
【補正対象項目名】０００１
【補正方法】変更
【補正の内容】
【０００１】
【発明の属する技術分野】
本発明は、撮像装置、編集装置、編集システム、記録信号処理装置及び記録信号処理方法に関し、例えば現場にて取材した番組を編集するフィールド編集システムに適用することができる。本発明は、取材から編集までの過程を１のディスク状記録媒体により処理できるようにしてこの種のシステムの使い勝手を向上するにつき、ディスク状記録媒体の記録領域を同心円状に分割してビデオ信号の記録領域とオーディオ信号の記録領域を形成することにより、記録再生能力の低下を有効に回避する。


【手続補正４】
【補正対象書類名】明細書
【補正対象項目名】００１４
【補正方法】変更
【補正の内容】
【００１４】
本発明は以上の点を考慮してなされたもので、取材から編集までの過程を１のディスク状記録媒体により処理する場合に、記録再生能力の低下を有効に回避することができる撮像装置、編集装置、編集システム、記録信号処理装置及び記録信号処理方法を提案しようとするものである。